【手続補正書】
【提出日】平成20年9月8日(2008.9.8)
【手続補正１】
【補正対象書類名】明細書
【補正対象項目名】特許請求の範囲
【補正方法】変更
【補正の内容】
【特許請求の範囲】
【請求項１】
テキストデータを受信する受信手段と、
前記テキストデータの内容が文字情報であるか否かを判断する判断手段と、
前記テキストデータの内容が文字情報であると判断した場合、該文字情報に含まれる文字を視覚的に表すための画像データに前記テキストデータを変換する変換手段と、
テキストデータを前記受信手段で受信した場合に、前記変換手段で変換した前記画像データに基づいて、自動的に記録材に画像を記録する記録手段と、
を有することを特徴とする通信装置。
【請求項２】
前記記録手段において画像を記録材に記録する際の表記方法をユーザに設定させるための操作手段を更に有し、
前記変換手段は、前記操作手段により設定された表記方法に従い、前記テキストデータを前記画像データに変換することを特徴とする請求項１に記載の通信装置。
【請求項３】
前記表記方法には、前記文字情報に含まれる文字の、サイズ、フォント、１行の文字数、又は１頁の行数、のうち、少なくともいずれか一つを含むことを特徴とする請求項２に記載の通信装置。
【請求項４】
前記受信手段は、前記テキストデータとして電子メールを受信する手段であり、
前記操作手段は、前記表記方法として、メールアドレスの表記方法、サブジェクトを記録するか否か、又は、受信日を記録するか否か、のうち、少なくともいずれか一つを設定可能であることを特徴とする請求項２に記載の通信装置。
【請求項５】
画像情報を表す第１テキストデータ及び文字情報を表す第２テキストデータを含む電子メールを受信する受信手段と、
前記第１テキストデータを画像データに変換する第１変換手段と、
前記第２テキストデータを、該第２テキストデータに含まれる文字を視覚的に表すための画像データに変換する第２変換手段と、
前記電子メールを前記受信手段で受信した場合に、前記第１及び第２変換手段で変換された画像データに基づいて、自動的に記録材に画像を記録する記録手段と、
を有することを特徴とする通信装置。
【請求項６】
前記第２変換手段は、前記第１変換手段で変換された画像データと同じサイズの画像データに変換することを特徴とする請求項５に記載の通信装置。
【請求項７】
テキストデータを受信する受信工程と、
前記テキストデータの内容が文字情報であるか否かを判断する判断工程と、
前記テキストデータの内容が文字情報であると判断した場合に、該文字情報に含まれる文字を視覚的に表すための画像データに変換する変換工程と、
テキストデータを前記受信工程で受信した場合に、前記変換工程で変換された前記画像データに基づいて、自動的に記録材に画像を記録する記録工程と、
を有することを特徴とする通信方法。
【請求項８】
前記変換工程は、ユーザにより設定された表記方法に従い、前記テキストデータを前記画像データに変換することを特徴とする請求項７に記載の通信方法。
【請求項９】
画像情報を表す第１テキストデータ及び文字情報を表す第２テキストデータを含む電子メールを受信する受信工程と、
前記受信工程で前記電子メールを受信した場合に、前記電子メールに含まれる前記第１テキストデータを画像データに変換する第１変換工程と、
前記受信工程で前記電子メールを受信した場合に、前記電子メールに含まれる前記第２テキストデータを、該第２テキストデータに含まれる文字を視覚的に表すための画像データに変換する第２変換工程と、
前記電子メールを前記受信工程で受信した場合に、前記第１及び第２変換工程で変換された前記画像データに基づいて、自動的に記録材に画像を記録する記録工程と、
を有することを特徴とする通信方法。
【請求項１０】
前記第２変換工程は、前記第１変換工程で変換された画像データと同じサイズの画像データに変換することを特徴とする請求項９に記載の通信方法。
【請求項１１】
プロセッサを有する受信装置を制御する制御プログラムであって、
前記プロセッサに、
テキストデータを受信する受信工程と、
前記テキストデータの内容が文字情報であるか否かを判断する判断工程と、
前記テキストデータの内容が文字情報であると判断した場合に、該文字情報に含まれる文字を視覚的に表すための画像データに変換する変換工程と、
テキストデータを前記受信工程で受信した場合に、前記変換工程で変換された前記画像データに基づいて、自動的に記録材に画像を記録する記録工程と、
を実現させることを特徴とする制御プログラム。
【請求項１２】
前記変換工程は、ユーザにより設定された表記方法に従い、前記テキストデータを前記画像データに変換することを特徴とする請求項１１に記載の制御プログラム。
【請求項１３】
プロセッサを有する受信装置を制御する制御プログラムであって、
前記プロセッサに、
画像情報を表す第１テキストデータ及び文字情報を表す第２テキストデータを含む電子メールを受信する受信工程と、
前記受信工程で前記電子メールを受信した場合に、前記電子メールに含まれる前記第１テキストデータを画像データに変換する第１変換工程と、
前記受信工程で前記電子メールを受信した場合に、前記電子メールに含まれる前記第２テキストデータを、該第２テキストデータに含まれる文字を視覚的に表すための画像データに変換する第２変換工程と、
前記電子メールを前記受信工程で受信した場合に、前記第１及び第２変換工程で変換された前記画像データに基づいて、自動的に記録材に画像を記録する記録工程と、
を実現させることを特徴とする制御プログラム。
【請求項１４】
前記第２変換工程は、前記第１変換工程で変換された画像データと同じサイズの画像データに変換することを特徴とする請求項１３に記載の制御プログラム。
【請求項１５】
前記請求項１１乃至１４のいずれか１項に記載の制御プログラムを格納したことを特徴とする記憶媒体。
【手続補正２】
【補正対象書類名】明細書
【補正対象項目名】０００９
【補正方法】変更
【補正の内容】
【０００９】
【課題を解決するための手段】
上記目的を達成するため、本発明に係る装置は、
テキストデータを受信する受信手段と、
前記テキストデータの内容が文字情報であるか否かを判断する判断手段と、
前記テキストデータの内容が文字情報であると判断した場合、該文字情報に含まれる文字を視覚的に表すための画像データに前記テキストデータを変換する変換手段と、
テキストデータを前記受信手段で受信した場合に、前記変換手段で変換した前記画像データに基づいて、自動的に記録材に画像を記録する記録手段と、
を有することを特徴とする。
【手続補正３】
【補正対象書類名】明細書
【補正対象項目名】００１０
【補正方法】変更
【補正の内容】
【００１０】
上記目的を達成するため、本発明に係る他の装置は、
画像情報を表す第１テキストデータ及び文字情報を表す第２テキストデータを含む電子メールを受信する受信手段と、
前記第１テキストデータを画像データに変換する第１変換手段と、
前記第２テキストデータを、該第２テキストデータに含まれる文字を視覚的に表すための画像データに変換する第２変換手段と、
前記電子メールを前記受信手段で受信した場合に、前記第１及び第２変換手段で変換された画像データに基づいて、自動的に記録材に画像を記録する記録手段と、
を有することを特徴とする。
【手続補正４】
【補正対象書類名】明細書
【補正対象項目名】００１１
【補正方法】変更
【補正の内容】
【００１１】
上記目的を達成するため、本発明に係る方法は、
テキストデータを受信する受信工程と、
前記テキストデータの内容が文字情報であるか否かを判断する判断工程と、
前記テキストデータの内容が文字情報であると判断した場合に、該文字情報に含まれる文字を視覚的に表すための画像データに変換する変換工程と、
テキストデータを前記受信工程で受信した場合に、前記変換工程で変換された前記画像データに基づいて、自動的に記録材に画像を記録する記録工程と、
を有することを特徴とする。
【手続補正５】
【補正対象書類名】明細書
【補正対象項目名】００１２
【補正方法】変更
【補正の内容】
【００１２】
上記目的を達成するため、本発明に係る他の方法は、
画像情報を表す第１テキストデータ及び文字情報を表す第２テキストデータを含む電子メールを受信する受信工程と、
前記受信工程で前記電子メールを受信した場合に、前記電子メールに含まれる前記第１テキストデータを画像データに変換する第１変換工程と、
前記受信工程で前記電子メールを受信した場合に、前記電子メールに含まれる前記第２テキストデータを、該第２テキストデータに含まれる文字を視覚的に表すための画像データに変換する第２変換工程と、
前記電子メールを前記受信工程で受信した場合に、前記第１及び第２変換工程で変換された前記画像データに基づいて、自動的に記録材に画像を記録する記録工程と、
を有することを特徴とする。
【手続補正６】
【補正対象書類名】明細書
【補正対象項目名】００１３
【補正方法】変更
【補正の内容】
【００１３】
上記目的を達成するため、本発明に係るプログラムは、
プロセッサを有する受信装置を制御する制御プログラムであって、
前記プロセッサに、
テキストデータを受信する受信工程と、
前記テキストデータの内容が文字情報であるか否かを判断する判断工程と、
前記テキストデータの内容が文字情報であると判断した場合に、該文字情報に含まれる文字を視覚的に表すための画像データに変換する変換工程と、
テキストデータを前記受信工程で受信した場合に、前記変換工程で変換された前記画像データに基づいて、自動的に記録材に画像を記録する記録工程と、
を実現させることを特徴とする。
【手続補正７】
【補正対象書類名】明細書
【補正対象項目名】００１４
【補正方法】変更
【補正の内容】
【００１４】
上記目的を達成するため、本発明に係る他のプログラムは、
プロセッサを有する受信装置を制御する制御プログラムであって、
前記プロセッサに、
画像情報を表す第１テキストデータ及び文字情報を表す第２テキストデータを含む電子メールを受信する受信工程と、
前記受信工程で前記電子メールを受信した場合に、前記電子メールに含まれる前記第１テキストデータを画像データに変換する第１変換工程と、
前記受信工程で前記電子メールを受信した場合に、前記電子メールに含まれる前記第２テキストデータを、該第２テキストデータに含まれる文字を視覚的に表すための画像データに変換する第２変換工程と、
前記電子メールを前記受信工程で受信した場合に、前記第１及び第２変換工程で変換された前記画像データに基づいて、自動的に記録材に画像を記録する記録工程と、
を実現させることを特徴とする。
【手続補正８】
【補正対象書類名】明細書
【補正対象項目名】００１５
【補正方法】変更
【補正の内容】
【００１５】
上記目的を達成するため、本発明に係る記憶媒体は、上記制御プログラムを格納したことを特徴とする。
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】削除
【補正の内容】
【手続補正１１】
【補正対象書類名】明細書
【補正対象項目名】００１８
【補正方法】削除
【補正の内容】
【手続補正１２】
【補正対象書類名】明細書
【補正対象項目名】００１９
【補正方法】削除
【補正の内容】
【手続補正１３】
【補正対象書類名】明細書
【補正対象項目名】００２０
【補正方法】削除
【補正の内容】
【手続補正１４】
【補正対象書類名】明細書
【補正対象項目名】００２１
【補正方法】削除
【補正の内容】
【手続補正１５】
【補正対象書類名】明細書
【補正対象項目名】００２２
【補正方法】削除
【補正の内容】
【手続補正１６】
【補正対象書類名】明細書
【補正対象項目名】００２３
【補正方法】削除
【補正の内容】